(57)【特許請求の範囲】
【請求項１】
口腔内で使用する義歯において、義歯床の歯肉や硬口蓋や舌下の粘膜など舌が当たる個所に純金メッキを施すため、予め歯肉や硬口蓋や舌下の粘膜の接触個所の雄型を製作し、純金メッキ施工部に厚さ１５〜５０μｍの純金メッキを施し、その上をパテ状合成樹脂で被覆し押圧してメッキ面に密着させて硬化させると共に、予め人工歯を埋め込んだ舌側の雄型を製作し、純金メッキ施工部に厚さ１５〜５０μｍの純金メッキを施し、その上をパテ状合成樹脂で被覆し押圧して密着させて硬化させた後、二つの雄型の合成樹脂露出面の表面を荒らして間隙を調整したうえ接合し、パテ状合成樹脂で接着して一体として硬化させた後、雄型を脱型し、残留物を除去、清掃し、表面仕上げして完成させる純金メッキ義歯の製造法。
【発明の詳細な説明】
【技術分野】
【０００１】  本発明は、口腔内で使用する義歯について、義歯床の歯肉や硬口蓋や舌下の粘膜など舌が当たる個所の裏装処理として純金メッキを施した純金メッキ義歯とその製造法に関するものである。
【背景技術】
【０００２】  人体の口腔内で使用される義歯の多くは、アクリル樹脂やポリカーボネート樹脂などの合成樹脂により製作されている。それらは安価で咬合圧に耐え、耐摩耗性に優れ、軟化変形しない、成形・修理が簡単である、唾液・食物に不溶で口腔粘膜を刺激しないなどから歯科医療の定番材料として使用されている。【０００３】  合成樹脂材料は、材料によって口腔内で長期間使用されると重合時の残留物質が溶出して健康被害を与えることが知られている。また、長期間の使用により口腔内の水分が材料中に浸透し、義歯表面に付着した食物カスやプラークと相まって義歯の表面に菌叢が形成され、粘膜に炎症を起こしたり、アレルギーを発症させる原因になったり、悪臭の発生源になることが知られている。【０００４】  これを防止するため、夜間は義歯を外して就寝する、入れ歯洗浄剤などにより定期的に洗浄して清潔な状態に保つなどの対策が求められているが、大多数の人は十分な処置を行わず、常時、悪臭を発して嫌悪されたり、歯科医療が必要になったり、時には歯を失うことになっている。【０００５】  社会の高齢化が進む中、高齢者を中心に義歯を使用する人が年々増加している上、口腔ケア不足による口腔内疾病が増加し、歯科医療費が増加し続けている。このような状況下で、しっかりとした咀嚼ができ、プラークが付着し難く、洗浄が容易で、悪臭源にならず、歯科医療費を減少させることができる義歯の必要性が高まっている。
【先行技術文献】
【特許文献】
【０００６】
【特許文献１】特開２００２−２８２２７８  広報
【特許文献２】特開２００４−２０９２２１  広報
【特許文献３】特開２００５−００７０３７  広報
【特許文献４】特開２００５−００６８６４  広報
【特許文献５】特開２００５−１６８９３６  広報
【非特許文献】
【０００７】
【非特許文献１】全部床義歯学増補版  中沢  勇著  永末書店刊  １９８３年３月
【非特許文献２】全部床義歯補綴学  林  都志夫著  医歯薬出版株式会社  １９８８年１１月
【非特許文献３】ヨコタ  デンチャー  システム  横田  亨著  クインテッセン出版株式会社  １９９８年２月
【発明の概要】
【発明が解決しようとする課題】
【０００８】  本発明は、口腔内で使用する義歯について、義歯床の歯肉や硬口蓋や舌下の粘膜が当たる個所の裏装処理として純金メッキを施した純金メッキ義歯とその製造法に関するものである。【０００９】  口腔内で使用される義歯の多くは合成樹脂に製作されているが、その多くは長期間の使用により、重合時の残留物が溶出して健康に被害を与えたり、合成樹脂内に浸透した水分と義歯床表面に付着した食物カスやプラークにより口腔内細菌が菌叢を作り、粘膜に炎症を起こしたり、アレルギーを発生させる原因になったり、悪臭の発生源になるなどの問題がある。【００１０】  これらの問題を解決するため義歯床を金、白金、チタン、コバルトクロームなどの金属プレートで製作したり、チタンなどの金属で鋳造成形するなどして、菌叢が形成されない環境を作る対策をとっているが、金や白金のプレートは高価であり、チタンは硬くて装着感に問題があり、コバルトクロームは金属アレルギーを生ずる問題がある。また、チタン鋳造成形法は製造設備が必要になるうえ高価であり、注文毎に成形型を製作せねばならず、素材が硬いため微調整加工が難しいなどの問題がある。
【問題を解決するための手段】
【００１１】  口腔内で使用する好ましい材料には、人体に対する親和性が高く、化学的に最も安定していることから古くから金、とりわけ純金が使用されている。但し純金は高価な材料であり、純金を使用した歯科医療は高額な自己負担が生ずることになる。よって、人体に最も優しい純金を使用して、その使用量を抑えた純金メッキを用いた純金メッキ義歯を製作することが好ましい対策となる。
【００１２】  本発明は、義歯床の歯肉や硬口蓋や舌下の粘膜など舌が当たる個所に１５〜５０μｍ厚の純金メッキを施すことを基本として、純金メッキ法、義歯床の製作法、人工歯の取付法を組み合わせて製作した純金メッキ義歯とその製造法である。
【発明の効果】
【００１３】  本発明により製造した純金メッキ義歯は、義歯床の歯肉や硬口蓋や舌下の粘膜など舌が当たる個所が純金面となるため、装着感・接触感が良く、人体への親和性は良好である。義歯床を構成する合成樹脂が粘膜や舌に直接接触することが少ない構造のため、合成樹脂内からの残留物の溶出や水分の浸透する機会が抑制されると共に、食物カスやプラークの付着による菌叢の生成が抑止され、悪臭の発生を防止することができる。さらには従来の義歯の咬合力が歯牙の５０％以下に低下するのに対して８０％ほどまで確保することができ、しっかりと噛むことができる。
【図面の簡単な説明】
【００１４】
【図１】本発明の総義歯の斜視図
【図２】一般的な義歯の上顎部舌側平面図
【図３】一般的な義歯の上顎部硬口蓋側平面図
【図４】本発明の義歯の上顎部舌側平面図
【図５】本発明の義歯の上顎部硬口蓋側平面図
【図６】上顎部硬口蓋側純金メッキ処理用雄型平面図
【図７】上顎部硬口蓋側純金メッキ面のパテ状合成樹脂被覆状態平面図
【図８】上顎部舌側純金メッキ処理用雄型平面図
【図９】上顎部舌側純金メッキ面のパテ状合成樹脂被覆状態平面図
【図１０】二つの上顎部義歯メッキ処理用雄型接合断面図（図７Ａ−Ａ´断面と図９Ｂ−Ｂ´断面の接合断面図）
【図１１】本発明の上顎義歯製品断面図
【発明を実施するための形態】
【００１５】  以下、本発明の実施の形態を図１〜図１１に基づいて説明する。
【００１６】  本発明の実施例について、総義歯の上顎義歯１を製作する際の製造法について述べる。図１は本発明の製造法により製作した総義歯の斜視図である。上顎１の歯肉と硬口蓋との接触面には純金メッキを施している。下顎２の下端部にも純金メッキを施している。
【００１７】  図２は従来の上顎義歯の舌側の平面図であり、図３は従来の上顎義歯の硬口蓋側の平面図である。
【００１８】  図４は本発明の上顎義歯の舌側の平面図であるが、舌の接触する個所には純金メッキ４を施している。図５は上顎義歯の硬口蓋側の平面図であるが、歯肉と硬口蓋の粘膜との接触面には純金メッキ５を施している。
【００１９】  先ず、上顎義歯１の硬口蓋に接触させて使用する義歯床を製造する方法について述べる。純金メッキを行うための準備として、図６に示すごとく上顎部硬口蓋側純金メッキ処理用雄型６を石膏で製作する。該雄型上面の歯肉と硬口蓋の接触個所に純金メッキ７を施す。次に図７に示すごとく純金メッキ面７を光硬化型のパテ状合成樹脂８により約１ｍｍの厚さで被覆し、押圧してメッキ面７に密着させて硬化させる。これと共に図８に示すごとく舌側純金メッキ処理用雄型９を石膏で製作する。該雄型には人工歯１０を予め埋め込んでおく。次に、該雄型９の舌との接触個所に純金メッキ１１を施す。次に図９に示すごとく人工歯１０と純金メッキ面１１を光硬化型合成樹脂１２で約１ｍｍの厚さで被覆し、押圧してメッキ面に密着させて硬化させる。次に、図１０に示すごとく上顎部硬口蓋側純金メッキ処理用雄型６（図７Ａ−Ａ´断面を図示）と舌側純金メッキ処理用雄型９（図９Ｂ−Ｂ´断面を図示）を接合し、局所が当たらないよう接合面相互を荒しながら、間隙が０．５〜１ｍｍになるよう調整した後、表面を清掃、脱脂してパテ状合成樹脂接着材１３を介して接着、硬化させる。硬化が完了した後、図１１に示すごとく２つの型を脱型し、残留物を除去し、清掃した後、パテ状合成樹脂接着材のバリ１３ａ、１３ｂを除去して仕上げを行い完成させる。
【符号の説明】
【００２０】１  本発明の上顎義歯
２  本発明の下顎義歯
３ａ従来品の上顎義歯の舌側義歯
３ｂ従来品の上顎義歯の硬口蓋側義歯床
４  本発明の舌接触面の純金処理メッキ面
５  本発明の上顎義歯の歯肉や硬口蓋接触面の純金メッキ処理面
６  本発明の石膏製の上顎義歯の歯肉や硬口蓋接触面純金メッキ処理用雄型
７  本発明の上顎義歯の歯肉や硬口蓋接触面の純金メッキ
８  本発明の上顎義歯の歯肉や硬口蓋接触面の純金メッキ上のパテ状合成樹脂
９  本発明の石膏製の上顎義歯の舌接触面純金メッキ処理用雄型
１０舌接触面の純金メッキ処理用雄型内埋め込み人工歯
１１本発明の舌接触面の純金メッキ
１２本発明の上顎義歯の舌接触面の純金メッキ上のパテ状合成樹脂
１３純金メッキ処理用雄型接合用パテ状合成樹脂接着材
１３ａ純金メッキ処理用雄型接合用パテ状合成樹脂接着材仕上面
１３ｂ純金メッキ処理用雄型接合用パテ状合成樹脂接着材仕上面
【図１】
0006681602.tif 000002
【図２】
0006681602.tif 000003
【図３】
0006681602.tif 000004
【図４】
0006681602.tif 000005
【図５】
0006681602.tif 000006
【図６】
0006681602.tif 000007
【図７】
0006681602.tif 000008
【図８】
0006681602.tif 000009
【図９】
0006681602.tif 000010
【図１０】
0006681602.tif 000011
【図１１】
0006681602.tif 000012